(57)【要約】【課題】上側部分と下側部分とから組み合わされるコンタクト支持体が設けられており、上側部分と下側部分とが、互いに整合する差込チャンバを有しており、下側部分の差込チャンバが電気的なコンタクトを、対応コネクタの、上側部分の差込チャンバを貫通する電気的なコンタクトとコンタクト形成するために有しており、さらに、差込チャンバを封止するためのマットシールと、該マットシールに圧力を加えるプレッシャプレートとが設けられている形式の、電気的な差込接続のためのコネクタを改良して、公知の装置の欠点を取り除く。【解決手段】マットシール（５）がコンタクト支持体（４）の上側部分（２）と下側部分（３）との間に配置されており、プレッシャプレートが上側部分（２）内に統合されているようにした。【選択図】図１
2007287689.tif 000002
【特許請求の範囲】
【請求項１】
電気的な差込接続のためのコネクタ（１）であって、上側部分（２）と下側部分（３）とから組み合わされるコンタクト支持体（４）が設けられており、上側部分（２）と下側部分（３）とが、互いに整合する差込チャンバ（７，８）を有しており、下側部分（３）の差込チャンバ（８）が電気的なコンタクト（９）を、対応コネクタの、上側部分（２）の差込チャンバ（７）を貫通する電気的なコンタクトとコンタクト形成するために有しており、さらに、差込チャンバ（８）を封止するためのマットシール（５）と、該マットシール（５）に圧力を加えるプレッシャプレートとが設けられている形式のものにおいて、マットシール（５）がコンタクト支持体（４）の上側部分（２）と下側部分（３）との間に配置されており、プレッシャプレートが上側部分（２）内に統合されていることを特徴とする、マットシールを備えたコネクタ。
【請求項２】
プレッシャプレートが上側部分（２）の下面により形成されている、請求項１記載のコネクタ。
【請求項３】
上側部分（２）と下側部分（３）とが互いに差し合わされている、請求項１または２記載のコネクタ。
【請求項４】
上側部分（２）と下側部分（３）とが互いに係止されている、請求項１から３までのいずれか１項記載のコネクタ。
【請求項５】
上側部分（２）または下側部分（３）が係止アーム（６）を有しており、該係止アーム（６）がマットシール（５）の相応の開口（１２）を貫通する、請求項４記載のコネクタ。
【発明の詳細な説明】
【技術分野】
【０００１】
本発明は、電気的な差込接続のためのコネクタであって、上側部分と下側部分とから組み合わされるコンタクト支持体が設けられており、上側部分と下側部分とが、互いに整合する差込チャンバを有しており、下側部分の差込チャンバが電気的なコンタクトを、対応コネクタの、上側部分の差込チャンバを貫通する電気的なコンタクトとコンタクト形成するために有しており、さらに、差込チャンバを封止するためのマットシールと、該マットシールに圧力を加えるプレッシャプレートとが設けられている形式のものに関する。
【背景技術】
【０００２】
この種の公知のコネクタではコネクタ内にシールマットもしくはマットシール（例えばゴムマットまたはゲルマット）がコネクタのコンタクト形成箇所を保護するために設けられている。そのために、対応コネクタの、有利には円形の横断面を有するコンタクトピンは、対応コネクタをコネクタ内に導入する際に、コネクタ内に取り付けられたシールマットにより封止される。それにより、例えば水が対応コネクタからそのコンタクトピンをつたってコンタクト形成箇所に達し、そこに腐食を引き起こし得ることは回避される。このシールマットを、シールマットを貫くコンタクトピンにもかかわらず、完全な封止の意味で欠陥のないシールエレメントとして維持するために、シールマットのために弾性的な材料（例えばゴム）または塑性流動可能な材料（例えばゲル）が使用され、封止もしくは塑性流動はプレッシャプレートにより助成される。シールマットは、コネクタのコンタクト支持体上側部分と、コンタクト支持体上側部分に係止されているプレッシャプレートとの間で固く締め付けられる。コネクタの電気的なコンタクトは、コンタクト支持体上側部分に結合されているコンタクト支持体下側部分に設けられている。コネクタはそれゆえ、シールマットをコンタクト支持体上側部分に保持する、すなわち配送可能な状態にあるように、常にプレッシャプレートを装備していなければならない。このことから結果的として、この種のコネクタの製作時の付加的な材料消費および組立手間が生じる。また、プレッシャプレートの作製には付加的な工具または組立工程が必要であり、このことは組立と相俟ってかなりの追加手間（コスト）となる。
【発明の開示】
【発明が解決しようとする課題】
【０００３】
本発明の課題は、冒頭で述べた形式のコネクタを改良して、公知の装置の欠点を取り除くことである。
【課題を解決するための手段】
【０００４】
上記課題を解決するために本発明の構成では、マットシールがコンタクト支持体の上側部分と下側部分との間に配置されており、プレッシャプレートが上側部分内に統合されているようにした。
【発明の効果】
【０００５】
このように構成したことにより、本発明によるコネクタは、公知の装置に対して、従来のプレッシャプレートの機能がコンタクト支持体上側部分内に統合されており、それゆえ付加的なプレッシャプレートが省略され得るという利点を有している。それにより、製作コストおよび組立コストならびに差込接続の部品点数は減じられることができる。
【０００６】
本発明の対象の別の利点および有利な構成は、明細書、図面および特許請求の範囲に見て取れる。
【０００７】
本発明によるコネクタの一実施例を図面に示し、以下に詳細に説明する。
【発明を実施するための最良の形態】
【０００８】
図１には電子的な制御装置の電気的な差込接続のためのコネクタ１が分解立体図で示されている。コネクタ１は、差し合わされる上側部分２と下側部分３とから成るコンタクト支持体４と、上側部分２と下側部分３との間で圧縮されるマットシール５とを有している。下側部分３は上側部分２内に差し込まれ、側方の係止アーム６により上側部分２に係止されている。上側部分２および下側部分３は互いに一列に整合する差込チャンバ７，８を有している。その際、下側部分３の差込チャンバ８内には電気的なコンタクト９（図２）が設けられている。上側部分２は対応コネクタ（図示せず）のための上側の差込受容部１０を有している。対応コネクタのコンタクトピンは、上側部分２の差込チャンバ７とマットシール５内の相応の開口１１とを貫いて、下側部分３内に設けられた電気的なコンタクト９とコンタクト形成する。マットシール５（例えばゴムマットまたはゲルマット）は下側部分３の差込チャンバ８の封止もしくは対応コネクタの、差込チャンバ８内に差し込まれるコンタクトピンの封止のために役立つ。
【０００９】
コネクタ１の組立時、まずマットシール５が下側部分３上に、係止アーム６をマットシール５の相応の開口１２に挿通することにより取り付けられる。次いで、下側部分３は上側部分２の下側の差込受容部内に、係止アーム６が上側部分２に係止されるまで差し込まれる。係止された状態で、マットシール５はそれによりコンタクト支持体４の上側部分２と下側部分３との間で圧縮されている。上側部分２もしくはその下面はそれにより付加的にプレッシャプレートの機能を請け負う。図２は、上側部分２上に載設されたカバー１３を備えた、組み立て終えたコネクタ１を示す。
【図面の簡単な説明】
【００１０】
【図１】本発明によるコネクタの分解立体図である。
【図２】本発明によるコネクタの縦断面図である。
【符号の説明】
【００１１】
１  コネクタ
２  上側部分
３  下側部分
４  コンタクト支持体
５  マットシール
６  係止アーム
７  差込チャンバ
８  差込チャンバ
９  コンタクト
１０  上側の差込受容部
１１  開口
１２  開口
１３  カバー
【図１】
2007287689.tif 000003
【図２】
2007287689.tif 000004